(57)【要約】      （修正有）【課題】車体の軽量化を図りつつ、ピラーの振動や変形を効果的に抑えることのできる車体構造を提供する。【解決手段】ピラー補強部材５０の前側隔壁５０Ａの端部が、センタピラー１６の裾野部４８のピラーアウタ４４の湾曲した車両前方側壁面４４Ｂの湾曲方向中央部に位置するように車両前方側壁面４４Ｂに接合され、ピラー補強部材５０の後側隔壁５０Ｂの端部がピラーの湾曲した車両後方側壁面４４Ｃの湾曲方向中央部に位置するように車両後方側壁面４４Ｃに接合され、ピラー補強部材５０の連結隔壁５０Ｃが車両幅方向外側壁４４Ａとロッカインナパネル２６の上フランジ部２６ａにスポット溶接にて接合される。【選択図】図１
2011194945.tif 000002
【特許請求の範囲】
【請求項１】
車体前後方向に延びるロッカと、
前記ロッカから車体上方へ延びるように設けられ、少なくとも車両幅方向外側壁面と、前記車両幅方向外側壁面の車両前側端部から車両幅方向内側へ延びる車両前方側壁面と、前記車両幅方向外側壁面の車両後側端部から車両幅方向内側へ延びる車両後方側壁面とを含み、前記ロッカへ向かうにしたがって車体前後方向の寸法が漸増する様に車両前方側壁面及び車両後方側壁面が湾曲した裾野部をロッカ側に有するピラーと、
前記裾野部における前記車両前方側壁面の内面から前記車両前方側壁面に対して交差する方向でかつロッカ側に向けて延びる前側隔壁、及び前記裾野部における前記車両後方側壁面の内面から前記車両後方側壁面に対して交差する方向でかつロッカ側に向けて延びる後側隔壁、ロッカ側で前記前側隔壁と前記後側隔壁とを繋ぐと共に、車両幅方向外側端部が前記ピラーの車両幅方向外側壁面に接合され、車両幅方向内側端部が前記ロッカに接合される連結隔壁と、を含んで構成されるピラー補強部材と、
を有する車両側部結合部構造。
【請求項２】
前記前側隔壁は、湾曲された前記車両前方側壁面の湾曲方向中間部に結合され、
前記後側隔壁は、湾曲された前記車両後方側壁面の湾曲方向中間部に結合されている、請求項１に記載の車両側部結合部構造。
【請求項３】
前記前側隔壁、前記後側隔壁、及び前記連結隔壁の少なくとも車体幅方向外側端部には、前記ピラーと結合されるフランジが形成されている、請求項１または請求項２に記載の車両側部結合部構造。
【請求項４】
前記ロッカには、前記ピラーの車体幅方向内側に、車体幅方向に延びるクロスメンバが接合されている、請求項１〜請求項３の何れか１項に記載の車両側部結合部構造。
【発明の詳細な説明】
【技術分野】
【０００１】
本発明は、車両側部結合部構造に係り、特に、ピラーとロッカとの結合部に補強が施された車体構造に関する。
【背景技術】
【０００２】
ピラーが車体前後及び車体幅方向内外に倒れる変形を抑制するには、特に重要な土台のプラットフォームに繋がるロッカ部に繋がるピラーの根元部分の変形を抑制する必要がある。
ピラーとロッカとの結合部分の補強としては、例えば、特許文献１〜３等に記載されているものが知られている。
【先行技術文献】
【特許文献】
【０００３】
【特許文献１】実開昭６２―１３２８７０号公報。
【特許文献２】特公平５―４９５１５号公報。
【特許文献３】特開２００３−２５２２３７号公報。
【発明の概要】
【発明が解決しようとする課題】
【０００４】
実開昭６２―１３２８７０号公報に開示の構造では、センターピラーとロッカ結合部にボックス状の補強を施している関係で、質量、コスト共に不利な構造となっている。また、実開昭６２―１３２８７０号の発明は、ロッカ（サイドシル）が車両前後に通った構造を前提としているため、ロッカとピラーとが一体化、即ちロッカとピラーとが一枚の鋼板から形成されてピラーの下側にロッカの上壁が設けられていない所謂リインフォース一体型、また、ピラーがピラーアウターのみで形成されてピラーインナーが設けられていない開断面形状とされた所謂インナーレス構造には適用できない。
【０００５】
特公平５―４９５１５号公報に開示の構造では、ピラーにロッカ下部まで延びる大きなレインフォースが必要となるため、質量、コスト共に不利な構造となっている。また、ピラーの内部に、シートベルトリトラクターやリレーボックス等の部品を取り付ける場合があるが、シートベルトリトラクターやリレーボックス等が大型化した現在においては、ピラー内の閉断面とインナーとのスポット溶接代の確保が困難となる。
【０００６】
また、特開２００３−２５２２３７号公報に開示の構造では、ロッカ内に配置された補強部材がロッカのみを補強しており、ピラー自体の補強は行っていないため、ピラーの倒れ変形に対するピラー結合部の補強としては効果が期待できない。
【０００７】
本発明は上記事実を考慮し、車体の軽量化を図りつつ、ピラーやロッカの構成に関わらず、ピラーの振動や変形を効果的に抑えることのできる車両側部結合部構造を提供することを目的とする。
【課題を解決するための手段】
【０００８】
ピラーは、走行中のタイヤからの外力や振動などにより、車体前後および車体幅方向内外に倒れる様に微小弾性変形を生じている。
発明者の種々の実験検討の結果、特に重要なのは、土台となるプラットフォームにつながるロッカ部とピラー骨格との結合部である。この結合部を補強することにより、車体剛性や振動を効果的に改善できることが判明した。
【０００９】
タイヤからの外力や振動などによるピラーの車体前後および車体幅方向内外に倒れる変形は、ピラーがロッカと結合する裾野部の曲率アール部の断面が崩れて変形することにより大きく助長される。つまりは、このピラーがロッカと結合するピラーの根元にある裾野部の曲率アール部の断面崩れ、特に断面変形の大きい根元の裾野部の曲率アール部の中央部の断面崩れを抑制することにより、ピラーが車体前後および車体幅方向内外に倒れる変形を大きく減少できることが判明した。
【００１０】
リンフォース一体構造やインナーレス構造によるオープン断面化構造をピラー及びロッカ部分に採用した場合、ピラー結合部内のロッカ上面壁が無くなり、ピラー外面の拘束力が無くなることにより、ピラー根元部のロッカ前後軸に対する回転変形（車体幅方向内外に倒れる変形）、断面変形や捩じれ変形が生じやすくなるため、合わせて対策が必要となる。
【００１１】
また、側面衝突に関して、リンフォース一体構造やインナーレス構造によるオープン断面化構造を採用した場合、ピラー結合部内のロッカ上面壁が無くなることにより、衝突車からの入力を土台となるプラットフォームに伝達することができず、ピラー変形量が増大し、ピラーの車室側への進入量が増大する。これを対策するには、衝突車からの入力を土台となるプラットフォームに伝達可能なピラー結合部内のロッカ上面壁に相当する部材が必要となる。
【００１２】
請求項１に記載の車両側部結合部構造は上記事実に鑑みて成されたものであって、車体前後方向に延びるロッカと、前記ロッカから車体上方へ延びるように設けられ、少なくとも車両幅方向外側壁面と、前記車両幅方向外側壁面の車両前側端部から車両幅方向内側へ延びる車両前方側壁面と、前記車両幅方向外側壁面の車両後側端部から車両幅方向内側へ延びる車両後方側壁面とを含み、前記ロッカへ向かうにしたがって車体前後方向の寸法が漸増する様に車両前方側壁面及び車両後方側壁面が湾曲した裾野部をロッカ側に有するピラーと、前記裾野部における前記車両前方側壁面の内面から前記車両前方側壁面に対して交差する方向でかつロッカ側に向けて延びる前側隔壁、及び前記裾野部における前記車両後方側壁面の内面から前記車両後方側壁面に対して交差する方向でかつロッカ側に向けて延びる後側隔壁、ロッカ側で前記前側隔壁と前記後側隔壁とを繋ぐと共に、車両幅方向外側端部が前記ピラーの車両幅方向外側壁面に接合され、車両幅方向内側端部が前記ロッカに接合される連結隔壁と、を含んで構成されるピラー補強部材と、を有する。
【００１３】
次に、請求項１に記載の車両側部結合部構造の作用を説明する。
（１）  ピラーの根元部分である裾野部の湾曲は、ピラーが車両前後、及び車両幅方向内外方向へ倒れる際に変形し易く断面崩れを起し易い部位であるが、請求項１に記載の車両側部結合部構造では、ピラー補強部材の前側隔壁がピラーの湾曲した前方側壁面に接合され、ピラー補強部材の後側隔壁がピラーの湾曲した後方側壁面に接合され、ピラー補強部材の連結隔壁がピラーの車両幅方向外側壁面とロッカに接合されることで、変形し易い裾野部の剛性を向上させて該裾野部の断面崩れを抑えることができる。これにより、ピラー補強部材の材料使用量を最小限に抑えつつ、ピラーが車両前後、及び車両幅方向内外に倒れる変形、及び振動を効果的に抑えることができる。
【００１４】
（２）  ピラー及びロッカに、リンフォース一体構造やインナーレス構造によるオープン断面化を採用した場合、ピラー結合部内のロッカ上面壁が無い構造となるので、側突車からの入力を土台となるプラットフォームに上手く伝達することができず、ピラーの倒れ変形量が増大し、乗員の居る車室内側へのピラー進入量が増大する。また、軽量化のために、ピラーを構成する部材の薄板化を図った場合も、ピラーの倒れ変形量が増大する方向となる。しかしながら、請求項１に記載の車両側部結合部構造では、上記の様にして裾野部の剛性を向上させてピラーの倒れ変形を抑えることができるので、ピラー及びロッカにリンフォース一体構造やインナーレス構造を採用した場合、部材の薄板化を図った場合等であっても、特別な補強を追加する必要性が無い。
【００１５】
（３）  連結隔壁がピラーの車両幅方向外側壁面とロッカに接合されるので、例えば、側突時に、ピラーが車両幅方向内側へ倒れ変形しようとする際に、ピラー車両幅方向外側から内側へ向かう入力を、連結隔壁でもって最短距離で受け止めることができる。また、上記ピラー車両幅方向外側から内側へ向かう入力を、連結隔壁を介してロッカの車両幅方向内側に配置されたプラットフォームへ効率的に伝達することができる。
【００１６】
（４）  ピラー補強部材は、前側隔壁、後側隔壁、及び連結隔壁という最小限の壁がピラー内に配置される構成であるため、ボックス形状の補強をピラー内に配置する場合に比較して、部品を配置可能なスペースをピラー内に確保でき、例えば、シートベルトリトラクター等の部品をピラー内に配置し易くなる。
【００１７】
（５）  ピラー補強部材は、前側隔壁、後側隔壁、及び連結隔壁という最小限の壁がピラー内に配置される構成であるため、ボックス形状の補強に比較して、ピラー補強部材をピラーにスポット溶接する際に用いるスポット溶接機の電極が干渉し難く、スポット打点が成立し易く、無理の無い打点面を形成することが可能となる。このため、変形の屈曲点を作らないようにスポット溶接の位置を配慮することができる。
【００１８】
（６）  ピラーの車両幅方向内外方向へ倒れ変形は、ロッカの上部付近を通る車両前後方向に延びる軸（仮想）を中心として倒れ変形する。
ピラー補強部材は、連結隔壁がロッカ及びピラーの車両幅方向外側壁面に接合され、連結部材の車両前後の前側隔壁、及び後側隔壁が、ロッカの上部付近を通る軸から離れる方向（ピラー側）へ延びており、連結隔壁からピラー側へ延びる前側隔壁及び後側隔壁の上端側がピラーの前方側壁面、及び後方側壁面に接合されているので、ピラーの、前記軸を中心とする回転方向の変形に対する剛性を向上させることができると共に、側突時には、ピラー外側からの側突荷重を前側隔壁及び後側隔壁でも受けることができ、ピラーの回転変形を抑制しながら、車体幅方向内側に効率的に荷重を伝達することができる。
【００１９】
請求項２に記載の発明は、請求項１に記載の車両側部結合部構造において、前記前側隔壁は、湾曲された前記車両前方側壁面の湾曲方向中間部に結合され、前記後側隔壁は、湾曲された前記車両後方側壁面の湾曲方向中間部に結合されている。
【００２０】
次に、請求項２に記載の車両側部結合部構造の作用を説明する。
ピラーが変形する際、前方側壁面の湾曲方向中間部、及び後方側壁面の湾曲方向中間部が他の部分よりも大きく変位する。したがって、裾野部の変形を抑えるには、前側隔壁を、湾曲された車両前方側壁面の湾曲方向中間部に結合し、後側隔壁を、湾曲された車両後方側壁面の湾曲方向中間部に結合して、湾曲部分の変位量を抑えることが好ましい。
なお、ピラー補強部材の前側隔壁は湾曲した前方側壁面の湾曲方向中央部に結合し、ピラー補強部材の後側隔壁は湾曲した後方側壁面の湾曲方向中央部に結合することが更に好ましい。
【００２１】
請求項２に記載の車両側部結合部構造では、ピラー補強部材の前側隔壁をピラーの前方側壁面の湾曲方向中間部に結合し、ピラー補強部材の後側隔壁をピラーの後方側壁面の湾曲方向中間部に結合したので、ピラーの前方側壁面の湾曲方向中間部、及び後方側壁面の湾曲方向中間部の変位を効率的に抑えることができ、これにより、ピラーの倒れ変形を効果的に抑えることができる。
【００２２】
請求項３に記載の発明は、請求項１または請求項２に記載の車両側部結合部構造において、前記前側隔壁、前記後側隔壁、及び前記連結隔壁の少なくとも車体幅方向外側端部には、前記ピラーと結合されるフランジが形成されている。
【００２３】
次に、請求項３に記載の車両側部結合部構造の作用を説明する。
前側隔壁、後側隔壁、及び連結隔壁の車体幅方向外側端部に、ピラーと結合されるフランジを形成することで、側突時の荷重を、前側隔壁、後側隔壁、及び連結隔壁の各々に形成されたフランジの広い面積で受けることができ、車体内側に効率的に荷重を伝達することができる。
また、前側隔壁、後側隔壁、及び連結隔壁の車体幅方向外側端部に、ピラーと結合されるフランジを形成することで、前側隔壁とピラー、後側隔壁とピラー、及び連結隔壁とピラーとを各々スポット溶接し易くなる。フランジが形成されていない場合に比較して、前側隔壁とピラーとの接合（接触）面積、後側隔壁とピラーとの接合（接触）面積、及び連結隔壁とピラーとの結合（接触）面積を増やすことができるので、結合を強固にできる。
なお、連結隔壁の車体幅方向内側端部にフランジを形成し、該フランジをロッカに接合しても良い。
【００２４】
請求項４に記載の発明は、請求項１〜請求項３の何れか１項に記載の車両側部結合部構造において、前記ロッカの車体幅方向内側面には、前記ピラー補強部材の車体幅方向内側に位置する部分に、車体幅方向に延びるクロスメンバが接合されている。
【００２５】
次に、請求項４に記載の車両側部結合部構造の作用を説明する。
ロッカの車体幅方向内側面にクロスメンバを接合し、その接合位置をピラー補強部材の車体幅方向内側とすることで、例えば、側突時に、側突荷重をピラー、ピラー補強部材、ロッカの順で、プラットフォームへ最短距離でもって効率的に伝達することができる。
【発明の効果】
【００２６】
以上説明したように請求項１に記載の車両側部結合部構造は上記の構成としたので、車体の軽量化を図りつつ、ピラーやロッカの構成に関わらず、ピラーの振動や変形を効果的に抑えることができる。
【００２７】
請求項２に記載の車両側部結合部構造は上記の構成としたので、ピラーの裾野部の変形をより効果的に抑えることができる。
【００２８】
請求項３に記載の車両側部結合部構造は上記の構成としたので、側突時の荷重をフランジの広い面積で受けて、車体内側に効率的に荷重を伝達することができる。
【００２９】
請求項４に記載の車両側部結合部構造は上記の構成としたので、側突荷重を車両のプラットフォームへ最短距離でもって効率的に伝達することができる。
【図面の簡単な説明】
【００３０】
【図１】実施形態に係る車体構造が適用されたピラーとロッカとの結合部付近を車内側から見た示す斜視図である。
【図２】ピラーとロッカとの結合部を示す車幅方向に沿った縦断面図である。
【図３】車体側部の概略構成を示す側面図である。
【図４】ピラー補強部材の斜視図である。
【図５】ピラー補強部材の展開図である。
【図６】裾野部の水平断面図である。
【図７】（Ａ）は他の実施形態に係るピラー補強部材の斜視図であり、（Ｂ）は他の実施形態に係るピラーの縦断面図（図７（Ａ）の７Ｂ−７Ｂ線断面図）である。
【図８】他の実施形態に係るピラー補強部材を用いたピラーとロッカとの結合部付近を示す斜視図である。
【発明を実施するための形態】
【００３１】
［第１の実施形態］
以下、図１〜図６を用いて、本発明に係る車体側部結合構造の適用された車両の第１の実施形態について説明する。なお、これらの図において適宜示される矢印ＦＲは車両前方側を示しており、矢印ＵＰは車両上方側を示しており、矢印ＩＮは車両幅方向内側を示している。
【００３２】
図３には、車両の本実施形態の車体構造３０が適用された自動車１０（車両）の一部が模式的な側面図にて示されている。図１には、車体構造３０が車室内側から見た分解斜視図で示されており、図２には、図３の２−２線に沿った拡大断面図が示されている。
【００３３】
図３に示されるように、車体側部１２には、フロント側から順にフロントピラー１４（Ａピラー）、センタピラー１６（Ｂピラー）、及びリヤピラー１８（Ｃピラー）が配設されている。なお、フロントピラー１４、センタピラー１６、及びリヤピラー１８は、左右一対設けられている。センタピラー１６は、車体側部１２に形成されたフロントドア用開口部２０Ａ及びリヤドア用開口部２０Ｂとの間に配置され、略車両上下方向を長手方向とする車体骨格部材とされている。
【００３４】
センタピラー１６の上端部１６Ａは、ルーフサイドレール部２２における車体前後方向の中間部に結合されている。ルーフサイドレール部２２は、車両ルーフの両サイドにおいて略車体前後方向を長手方向として配置された骨格部材とされている。
また、センタピラー１６の下端部１６Ｂは、ロッカ２４（「サイドシル」ともいう。）における車体前後方向の中間部に結合されている。ロッカ２４は、車体下部の両サイドにおいて略車体前後方向を長手方向として配置された骨格部材とされている。
【００３５】
図１及び図２に示されるように、ロッカ２４は、ロッカインナパネル２６を備えている。
ロッカインナパネル２６は、ロッカ２４の車幅方向内側の部位を構成し、車体側部１２の下端部で車体前後方向を長手方向として配置されており、車幅方向外向きに開口された断面ハット形状とされている。ロッカインナパネル２６の上端側で車幅方向外端には上フランジ部２６ａが形成され、ロッカインナパネル２６の下端側で車幅方向外端には下フランジ部２６ｂが形成されている。
【００３６】
（アウタパネル）
図２に示すように、ロッカインナパネル２６の車幅方向外側には、アウタパネル４０（サイメンアウタパネルリインフォース）が配置されている。なお、アウタパネル４０のさらに車幅方向外側には、サイメンアウタ５２が配置されている。
【００３７】
図１に示すように、アウタパネル４０は、ロッカインナパネル２６の車幅方向外側に配置されて車両前後方向に延びるロッカアウタ４６とロッカアウタ４６の車両上方側から車両上方に向けて延びるピラーアウタ４４とを含んで１枚の鋼板から一体に形成されている。
【００３８】
ロッカアウタ４６は、上壁４６Ａ、下壁４６Ｂ、外側壁４６Ｃ、上壁４６Ａの車幅方向内端に形成される上フランジ部４６Ａａ、下壁４６Ｂの車幅方向内端に形成される下フランジ部４６Ｂｂとを含んで構成され、ピラーアウタ４４との連結部分を除き、車幅方向内向きに開口された断面ハット形状とされている。
ロッカアウタ４６の上フランジ部４６Ａａ及び下フランジ部４６Ｂｂは、その一般面が車両上下方向及び車体前後方向を含む面を面方向として配置されている。
そして、ロッカアウタ４６は、上フランジ部４６Ａａがロッカインナパネル２６の上フランジ部２６ａの車幅方向外側に重ね合わせられてスポット溶接により接合され、下フランジ部４６Ｂｂがロッカインナパネル２６の下フランジ部２６ｂの車幅方向外側に重ね合わせられてスポット溶接により接合されている。
【００３９】
一方、アウタパネル４０のピラーアウタ４４は、略車両上下方向を長手方向として配置され、略車両前後方向及び上下方向に沿った方向を面方向とした車両幅方向外側壁４４Ａ、車両幅方向外側壁４４Ａの車両前側端から車両幅方向内側へ向けて延びる車両前方側壁面４４Ｂ、車両幅方向外側壁４４Ａの車両後側端から車両幅方向内側へ向けて延びる車両後方側壁面４４Ｃ、車両前方側壁面４４Ｂの車幅方向内端から車両前方向側へ向けて延びる前フランジ部４４Ｂｂ、車両後方側壁面４４Ｃの車幅方向内端から車両後方向側へ向けて延びる後フランジ部４４Ｃｃを備えて、水平断面形状が車幅方向内向きに開口された略ハット形状とされている。
【００４０】
ピラーアウタ４４の下端側、即ちロッカアウタ４６との接続部分付近の車両側面視形状は、ロッカアウタ４６へ向かうにしたがって徐々に広がる形状とされている。以後、ピラーアウタ４４の下部のロッカアウタ４６へ向かうにしたがって徐々に広がっている部分を裾野部４８と呼ぶ。
【００４１】
この裾野部４８では、車両前方側壁面４４Ｂ、及び車両幅方向外側壁４４Ａは、共に車両上下方向から車両前後方向に向きを変えるように湾曲しており、車両前方側壁面４４Ｂの下端側はピラーアウタ４４の車両前側に位置するロッカアウタ４６の上壁４６Ａに一体的に連結され、車両幅方向外側壁４４Ａの下端側はピラーアウタ４４の車両後側に位置するロッカアウタ４６の上壁４６Ａに一体的に連結されている。
なお、車両前方側壁面４４Ｂ、及び車両幅方向外側壁４４Ａは、車両側面視で単一の曲率半径からなる円弧曲面であっても良く、曲率半径の異なる複数の円弧曲面を滑らか、かつ連続的に繋げた様な曲面であっても良く、放物線の一部分等であっても良い。
【００４２】
本実施形態のロッカアウタ４６は、ピラーアウタ４４との接続部分において、その上壁４６Ａが設けられておらず、ロッカ内部空間とピラー内部空間とが互いに連通している。
また、ピラーアウタ４４の前フランジ部４４Ｂｂは、ピラーアウタ４４の車両前側に位置するロッカアウタ４６の上フランジ部４６ａに一体的に連結され、後フランジ部４４Ｃｃはピラーアウタ４４の車両後側に位置するロッカアウタ４６の上フランジ部４６ａに一体的に連結されている。
【００４３】
（ピラー補強部材）  
センタピラー１６の裾野部４８の内部には、鋼板のプレス成形品とされたある種のバルクヘッド（隔壁）であるピラー補強部材５０が配置されている。
ピラー補強部材５０は、ピラー長手方向直角断面で見た時にピラー内を閉塞するような隔壁状に形成されており、裾野部４８における湾曲した車両前方側壁面４４Ｂの内面から車両前方側壁面４４Ｂに対して交差する方向、本実施形態では垂直方向で、車両側面視で車両後方側、かつ斜め下方（ロッカ側）へ向けて延び、さらには車両幅方向外側壁４４Ａに対して垂直とされる前側隔壁５０Ａと、裾野部４８における湾曲した車両後方側壁面４４Ｃの内面から車両後方側壁面４４Ｃに対して交差する方向（本実施形態では垂直方向）で、車両側面視で車両前方側、かつ斜め下方（ロッカ側）へ向けて延び、さらには車両幅方向外側壁４４Ａに対して交差する方向（本実施形態では垂直方向）とされる後側隔壁５０Ｂと、ロッカ側で前側隔壁５０Ａの下端と後側隔壁５０Ｂの下端とを連結するように水平に配置される連結隔壁５０Ｃを備えている。
【００４４】
ピラー補強部材５０には、前側隔壁５０Ａの上端側に車両前方側壁面４４Ｂに沿って車両上方向側に延びるフランジ５０Ａａが、後側隔壁５０Ｂの上端側に車両後方側壁面４４Ｃに沿って車両上方向側に延びるフランジ５０Ｂｂが、車両幅方向外側端に車両上方向側に延びるフランジ５０ｄが、車両幅方向内側端に車両上方向側に延びるフランジ５０ｅが各々形成されている。
【００４５】
なお、図５には、ピラー補強部材５０の平面展開図が示されており、２点差線で示す部分が折り曲げ部分である。
このピラー補強部材５０は、前側隔壁５０Ａの端部が車両前方側壁面４４Ｂの湾曲方向中央部に位置するように前側隔壁５０Ａのフランジ５０Ａａと車両前方側壁面４４Ｂとがスポット溶接により接合され、後側隔壁５０Ｂの端部がピラーアウタ４４の車両後方側壁面４４Ｃの湾曲方向中央部に位置するように、後側隔壁５０Ｂのフランジ５０Ｂｂとピラーアウタ４４の車両後方側壁面４４Ｃとがスポット溶接により接合されている。
【００４６】
また、ピラー補強部材５０は、フランジ５０ｄがピラーアウタ４４の車両幅方向外側壁４４Ａにスポット溶接により接合されると共に、フランジ５０ｅの下側の一部分がロッカインナパネル２６の上フランジ部２６ａの車幅方向外側に重ね合わせられてスポット溶接により接合されている。
これにより、裾野部４８は、ピラー補強部材５０が隔壁とって閉塞され、ピラー内空間がピラー補強部材５０によって上下に分割されることになる。
【００４７】
図１、及び図２に示すように、ロッカインナパネル２６の車両幅方向内側にはフロアパネル５４が配置され、フロアパネル５４の車両幅方向外側端部に形成されたフランジ５４Ａがロッカインナパネル２６の車両幅方向内側面にスポット溶接にて接合されている。
このフロアパネル５４の上部には、車両幅方向に沿って延びる断面略ハット形状とされたクロスメンバ５６が配置されている。クロスメンバ５６は、下端側に形成されたフランジ５６Ａがスポット溶接にてフロアパネル５４に接合されており、車両幅方向端側に形成されたフランジ５６Ｂがスポット溶接にてロッカインナパネル２６の車両幅方向内側面に接合されている。
なお、クロスメンバ５６は、センタピラー１６の車両幅方向内側に位置している。
【００４８】
（作用・効果）
次に、上記実施形態の作用及び効果について説明する。
本実施形態の車両側部結合部構造では、ピラー補強部材５０の前側隔壁５０Ａの端部がピラーアウタ４４の湾曲した車両前方側壁面４４Ｂの湾曲方向中央部に位置するように車両前方側壁面４４Ｂに接合され、ピラー補強部材５０の後側隔壁５０Ｂの端部がピラーの湾曲した車両後方側壁面４４Ｃの湾曲方向中央部に位置するように車両後方側壁面４４Ｃに接合され、ピラー補強部材５０の連結隔壁５０Ｃが車両幅方向外側壁４４Ａとロッカインナパネル２６の上フランジ部２６ａにスポット溶接にて接合され、１枚の鋼板からなるピラー補強部材５０でもって裾野部４８の剛性(断面潰れに対する剛性）を向上させているので、部品点数、及び材料使用量を最小限に抑えつつ、センタピラー１６の車両前後、及び車両幅方向内外に倒れる変形、及び振動が効果的に抑えられる。なお、裾野部４８の剛性が向上することで、センタピラー１６の捩じれも抑えられる。
【００４９】
本実施形態の車両は、ピラー部及びロッカ部に、リンフォース一体構造、及びインナーレス構造によるオープン断面化を採用しており、ピラー結合部内で上壁４６Ａが無い構造となっているが、側突車からの入力を、センタピラー１６、ピラー補強部材５０、及びロッカ２４を介して土台となるプラットフォーム（クロスメンバ５６及びフロアパネル５４）に最短距離で、かつ効率的に伝達することができ、センタピラー１６の車両幅方向への倒れ変形を抑え、車室内側へのピラー進入量を低減することができる。
【００５０】
なお、軽量化のためにセンタピラー１６を構成する部材を薄板化するとセンタピラー１６の車両前後、及び車両幅方向内外に倒れる変形、及び振動が悪化傾向となるが、裾野部４８にピラー補強部材５０を設けることで、センタピラー１６の車両前後、及び車両幅方向内外に倒れる変形、及び振動は効果的に抑えられる。
【００５１】
本実施形態のピラー補強部材５０は、全体的に隔壁形状であるため、例えば、シートベルトリトラクター等の部品をピラー内に配置するスペースを確保し易い。
ピラー補強部材５０は、全体形状が隔壁形状であるため、スポット打点が成立し易く、無理の無い打点面を形成することが可能となる。このため、変形の屈曲点を作らないようにスポット溶接の位置を配慮することができる。
【００５２】
ピラー補強部材５０は、ロッカ２４、及び車両幅方向外側壁４４Ａに接合された連結隔壁５０Ｃの車両前後端から、前側隔壁５０Ａ及び後側隔壁５０Ｂが斜め上方へ延びてピラーアウタ４４の補強を行っているため、ロッカ２４の上壁付近を車両前後方向に通る軸（仮想）を中心とするセンタピラー１６の回転方向の変形に対する剛性が向上している。
このため、側突時には、ピラー外側からの側突荷重を前側隔壁５０Ａ及び後側隔壁５０Ｂでも受けることができ、センタピラー１６の回転変形を抑制しながら、車体幅方向内側のプラットフォームとしてのフロアパネル５４、及びクロスメンバ５６に効率的に荷重を伝達することができる。
【００５３】
［その他の実施形態］
上記実施形態のピラー補強部材５０では、フランジ５０Ａａ、フランジ５０Ｂｂ、フランジ５０ｄ、及びフランジ５０ｅが上向きに形成されていたが、図７に示すように、下向きに形成しても良く、上向のものと下向きのものとを混在させても良い。
また、上記実施形態のピラー補強部材５０では、側面視形状が逆台形状（図１参照）であったが、図８に示すように略Ｖ字形状（連結隔壁５０Ｃが殆ど無い）とすることもでき、図示は省略するが下方へ凸となる円弧形状（曲率中心がピラー上方側。この場合、前側隔壁５０Ａ、後側隔壁５０Ｂ、及び連結隔壁５０Ｃの明確な境界は無くなる。）とすることもできる。
【００５４】
上記実施形態のセンタピラー１６は、車両幅方向内側が開口された開断面形状であったが、ピラーアウタ４４の車両幅方向内側にピラーインナーを設けて閉断面構造としても良い。
上記実施形態では、ピラーアウタ４４とロッカアウタ４６とが１枚の鋼板で一体形成されていたが、互いに別部品として形成されたピラーアウタ４４とロッカアウタ４６とを互いに溶接等で接合した構造のものであっても良い。
【符号の説明】
【００５５】
１０      自動車（車両）
１６      センタピラー（ピラー）
２４      ロッカ
３０      車体構造
４０      アウタパネル
４４      ピラーアウタ
４４Ａ    車両幅方向外側壁
４４Ｂ    車両前方側壁面
４４Ｃ    車両後方側壁面
４８      裾野部
５０      ピラー補強部材
５０Ａ    前側隔壁
５０Ａａ  フランジ
５０Ｂ    後側隔壁
５０Ｂｂ  フランジ
５０Ｃ    連結隔壁
５０ｄ    フランジ
５６      クロスメンバ
【図１】
2011194945.tif 000003
【図２】
2011194945.tif 000004
【図３】
2011194945.tif 000005
【図４】
2011194945.tif 000006
【図５】
2011194945.tif 000007
【図６】
2011194945.tif 000008
【図７】
2011194945.tif 000009
【図８】
2011194945.tif 000010